(57)【特許請求の範囲】
【請求項１】
樹脂シートからなり、自立性を有する袋状に形成された本体部と、該本体部に取付けられる口具と、該口具に対して着脱可能に取付けられるディスペンサとを備えたディスペンサ付き包装袋であって、
前記ディスペンサには、前記口具に挿入されて前記本体部の内部に配置されるとともに、下方側に向かって与えられる力を受け止める支持部材が設けられており、
前記支持部材は、その上部を構成する管状の支持体と下部を構成する有底筒状の当接体とを備え、前記本体部の上下方向に直交する断面において、前記支持体の断面積よりも前記当接体の断面積の方が大きく形成されており、
前記当接体の周面には、前記本体部の内部に収容された内容物を前記支持部材の内部に流入させる流入孔が形成されており、前記当接体の下端面は、外方ほど上方に反り上がる曲面部を有するように形成されているとともに、当該下端面には、開口が形成されておらず、
前記支持部材は、前記本体部の自立状態において前記当接体の下端面と前記本体部の底面との間に隙間が生じるように形成されており、前記下方側に向かって与えられる力に伴って前記本体部が変形したときに前記当接体の下端面が前記本体部の底面に当接することを特徴とするディスペンサ付き包装袋。
【請求項２】
前記ディスペンサは、前記支持部材を介して前記本体部に収容された内容物を吸い上げ可能であることを特徴とする請求項１に記載のディスペンサ付き包装袋。
【請求項３】
樹脂シートからなり、自立性を有する袋状に形成された本体部と、該本体部に取付けられる口具と、該口具に対して着脱可能に取付けられるディスペンサとを備えたディスペンサ付き包装袋であって、
前記ディスペンサには、前記口具に挿入されて前記本体部の内部に配置されるとともに、下方側に向かって与えられる力を受け止める支持部材が設けられており、
前記支持部材は、その上部を構成する管状の支持体と下部を構成する有底筒状の当接体とを備え、前記本体部の上下方向に直交する断面において、前記支持体の断面積よりも前記当接体の断面積の方が大きく形成されており、
前記当接体の周面には、前記本体部の内部に収容された内容物を前記支持部材の内部に流入させる流入孔が形成されているとともに、前記当接体の下端面には、開口が形成されておらず、
前記支持部材は、前記本体部の自立状態において前記当接体の下端面と前記本体部の底面との間に隙間が生じるように形成されており、前記下方側に向かって与えられる力に伴って前記本体部が変形したときに前記当接体の下端面が前記本体部の底面に当接し、
前記ディスペンサは、前記本体部に収容された内容物を吸い上げるための吸上管を備え、前記吸上管は前記支持部材の内部に配置されていることを特徴とするディスペンサ付き包装袋。
【請求項４】
前記本体部の外面には、熱可塑性樹脂からなる柱形状の補強材が設けられていることを特徴とする請求項１〜請求項３のいずれか一項に記載のディスペンサ付き包装袋。
【請求項５】
前記本体部の前記底面は、自立状態において、前記本体部の側面の下端と同じ高さに位置する接地領域を有し、前記下方側に向かって与えられる力に伴って前記本体部が変形したときに、前記当接体の下端面が前記底面の接地領域に当接することを特徴とする請求項１〜請求項４のいずれか一項に記載のディスペンサ付き包装袋。
【発明の詳細な説明】
【技術分野】
【０００１】
本発明は、ディスペンサ付きの包装袋に関する。
【背景技術】
【０００２】
従来、プラスチックボトルやガラス瓶等の容器に代えて、樹脂シートを袋状に形成した包装袋が容器として使用されている。この種の包装袋は、プラスチックボトルやガラス瓶等に比べて省資源化が可能であり、また、使用後に小さく折り畳むことができるため、ごみの減容化にも寄与する。その一方で、包装袋は、その材質が樹脂シートで変形し易く、たとえば、ディスペンサの取付には不向きである。ディスペンサは、比較的重量があり、また、ディスペンサを操作する際の押圧力が包装袋自体に作用する。したがって、包装袋にディスペンサを取り付けると、包装袋が中央で折れ曲がったり倒れたりしやすく自立性の確保が難しい。
【０００３】
これに対して、特許文献１には、ディスペンサ付きの包装袋が開示されている。具体的には、図７に示すように、特許文献１の包装袋は、複数の樹脂シートを接着して自立性を有する袋状に形成される本体部７１と、本体部７１の上端に接着される注出口体７２と、注出口体７２に対して着脱可能なプッシュ式のディスペンサ７３とで構成されている。そして、注出口体７２には、下方（本体部７１の底面側）に向って延びる脚部構造体７２ａが形成されており、本体部７１の内部において注出口体７２が自立できるようになっている。
【０００４】
確かに、特許文献１の包装袋においては、ディスペンサ７３の重量が脚部構造体７２ａによって受け止められ、また、ディスペンサ７３の操作時に、ディスペンサ７３を下方に押圧したとしても、その押圧力が注出口体７２の脚部構造体７２ａによって受け止められる。そのため、このディスペンサ７３の重量や、ディスペンサ７３の操作に伴う押圧力が本体部７１側に作用したとしても、脚部構造体７２ａが形成されることによって本体部７１が変形し難く、たとえば、ディスペンサ付きのプラスチックボトルと同じように、包装袋を所定位置に載置してディスペンサ７３を押圧操作しても、本体部７１が折れ曲がったり、倒れたりするおそれは少ない。
【先行技術文献】
【特許文献】
【０００５】
【特許文献１】特開２００８−２３０６１８号公報。
【発明の概要】
【発明が解決しようとする課題】
【０００６】
ところで、特許文献１の包装袋では、ディスペンサ７３は、注出口体７２に対して取り外し可能である。そのため、このディスペンサ７３については、包装袋（本体部７１）の内容物を使い切った後に、他の本体部７１及び注出口体７２に付け替えるなどして、繰り返し使用することもできる。一方、注出口体７２は本体部７１に接着されており、本体部７１から取り外すことができない。そのため、内容物を使い切って本体部７１を廃棄するにあたっては、注出口体７２に設けられた脚部構造体７２ａをも同時に廃棄せざるを得ない。この点は、包装袋の利点である省資源化の妨げとなる。
【０００７】
また、上述したとおり、脚部構造体７２ａは、ディスペンサ７３の押圧操作に伴う押圧力を受け止めるという機能を備えているため、相応に強い強度を有している。そのため、内容物を使い切って本体部７１を折り畳もうとしても、それに伴って脚部構造体７２ａを変形、破壊することは困難である。したがって、本体部７１の内部において脚部構造体７２ａが占める体積よりも小さく本体部７１を折り畳むことは困難で、これも包装袋の利点である減容化の妨げとなる。
【０００８】
本発明のディスペンサ付き包装袋は、このような従来技術の課題を鑑みてなされたものであって、省資源で、かつ減容しやすい包装袋の利点を極力損なうことなく、ディスペンサの取付けやディスペンサの操作に伴う押圧力にも耐え得る強度を付与することを目的とする。
【課題を解決するための手段】
【０００９】
上記の目的を達成するために、請求項１に記載の発明は、樹脂シートからなり、自立性を有する袋状に形成された本体部と、該本体部に取付けられる口具と、該口具に対して着脱可能に取付けられるディスペンサとを備えたディスペンサ付き包装袋であって、前記ディスペンサには、前記口具に挿入されて前記本体部の内部に配置されるとともに、下方側に向かって与えられる力を受け止める支持部材が設けられており、前記支持部材は、その上部を構成する管状の支持体と下部を構成する有底筒状の当接体とを備え、前記本体部の上下方向に直交する断面において、前記支持体の断面積よりも前記当接体の断面積の方が大きく形成されており、前記当接体の周面には、前記本体部の内部に収容された内容物を前記支持部材の内部に流入させる流入孔が形成されており、前記当接体の下端面は、外方ほど上方に反り上がる曲面部を有するように形成されているとともに、当該下端面には、開口が形成されておらず、前記支持部材は、前記本体部の自立状態において前記当接体の下端面と前記本体部の底面との間に隙間が生じるように形成されており、前記下方側に向かって与えられる力に伴って前記本体部が変形したときに前記当接体の下端面が前記本体部の底面に当接することを特徴とする。
【００１０】
この構成によれば、支持部材はディスペンサに設けられており、ディスペンサとともに口具に対して着脱可能である。そのため、この支持部材をディスペンサと共に繰り返し使用することができ、包装袋の省資源化を妨げ難い。さらに、ディスペンサと共に支持部材を口具から取り外してしまえば、支持部材が本体部の折り畳みの邪魔になることはなく、支持部材が本体部の減容化を妨げることはない。
【００１３】
請求項２に記載の発明は、請求項１に記載の発明において、前記ディスペンサは、前記支持部材を介して前記本体部に収容された内容物を吸い上げ可能であることを特徴とする。この構成によれば、本体部の内容物を吸い上げるための構成と支持部材の支持体とをそれぞれ別体として形成する必要がない。したがって、ディスペンサに支持部材を設けたことによる、ディスペンサの構成の複雑化、高コスト化を抑制することができ
る。
【００１４】
請求項３に記載の発明は、樹脂シートからなり、自立性を有する袋状に形成された本体部と、該本体部に取付けられる口具と、該口具に対して着脱可能に取付けられるディスペンサとを備えたディスペンサ付き包装袋であって、前記ディスペンサには、前記口具に挿入されて前記本体部の内部に配置されるとともに、下方側に向かって与えられる力を受け止める支持部材が設けられており、前記支持部材は、その上部を構成する管状の支持体と下部を構成する有底筒状の当接体とを備え、前記本体部の上下方向に直交する断面において、前記支持体の断面積よりも前記当接体の断面積の方が大きく形成されており、前記当接体の周面には、前記本体部の内部に収容された内容物を前記支持部材の内部に流入させる流入孔が形成されているとともに、前記当接体の下端面には、開口が形成されておらず、前記支持部材は、前記本体部の自立状態において前記当接体の下端面と前記本体部の底面との間に隙間が生じるように形成されており、前記下方側に向かって与えられる力に伴って前記本体部が変形したときに前記当接体の下端面が前記本体部の底面に当接し、前記ディスペンサは、前記本体部に収容された内容物を吸い上げるための吸上管を備え、前記吸上管は前記支持部材の内部に配置されていることを特徴とする。
【００１５】
請求項４に記載の発明は、請求項１〜３のいずれか一向に記載の発明において、前記本体部の外面には、熱可塑性樹脂からなる柱形状の補強材が設けられていることを特徴とする。この構成によれば、支持部材による自立性の向上に加えて、補強材によってさらなる本体部の自立性向上が図れる。さらに、支持部材を本体部から取り外した状態においても、補強材によって本体部が折れ曲がりにくく、支持部材を挿入することが容易となる。
請求項５に記載の発明は、請求項１〜請求項４のいずれか一項に記載の発明において、前記本体部の前記底面は、自立状態において、前記本体部の側面の下端と同じ高さに位置する接地領域を有し、前記下方側に向かって与えられる力に伴って前記本体部が変形したときに、前記支持部材の前記当接体の下端面が前記底面の接地領域に当接することを特徴とする。この構成によれば、ディスペンサの重さやディスペンサの操作に伴う力は、本体部の底面の接地領域に受け止められることになる。したがって、支持部材を介して本体部に無理な力が加わることが防止できる。
【発明の効果】
【００１６】
本発明によれば、省資源であり、減容化しやすいという包装袋の利点を極力損なうことなく、ディスペンサに設けられた支持部材により、ディスペンサの取付けやディスペンサの操作に伴う力にも耐えることのできる強度を付与することができる。
【図面の簡単な説明】
【００１７】
【図１】ディスペンサ付き包装袋の分解斜視図。
【図２】ディスペンサ付き包装袋の斜視図。
【図３】ディスペンサ付き包装袋の本体部及び口具の正面図。
【図４】図２におけるＡ−Ａ線断面図。
【図５】（ａ）及び（ｂ）は、変更例におけるディスペンサの斜視図、（ｃ）及び（ｄ）は、変更例における支持部材の断面図。
【図６】変更例におけるディスペンサの断面図。
【図７】従来技術の包装袋の分解斜視図。
【発明を実施するための形態】
【００１８】
以下、ディスペンサ付き包装袋に関する一実施形態を図１〜図４にしたがって説明する。なお、以下の説明においては、自立状態における包装袋の上下方向（図１及び図２における上下方向）を基準として説明する。
【００１９】
図１に示すように、本実施形態のディスペンサ付き包装袋は、自立性を有する袋状に形成された本体部１０と、本体部１０の上縁に取り付けられる口具２０と、口具２０に対して着脱可能に取付けられるディスペンサ３０とで構成されている。なお、本体部１０及び口具２０の基本的な構成については、特開２００７−０５５６４９号公報にも開示があるが、以下、詳細に説明する。
【００２０】
図１及び図３に示すように、包装袋の本体部１０は、熱可塑性樹脂からなる底面シート１１と一対の側面シート１２とによって袋状に形成されている。底面シート１１は略四角形状に形成されており、折り目が上方（図１及び図３において上方）を向くように二つ折りされた状態で配置されている。そして、底面シート１１は、一対の側面シート１２と向かい合う側の面（外側の面）が熱溶着性を有するとともに、内側の面が非熱溶着性を有するように形成されている。側面シート１２は、縦長四角形状の両肩部が円弧状に切りかかれた略台形状に形成されている。そして、側面シート１２は一方の表面が熱溶着性を有するように形成されており、底面シート１１を両側から挟み込む際には側面シート１２それぞれの熱溶着性を有する表面同士が向かい合うように配置される。なお、図３においては、底面シート１１が二つ折り状態で、一対の側面シート１２、及び底面シート１１と側面シート１２とが互いに接触している状態（非自立状態）を図示しており、二つ折り状態の底面シート１１の上端を破線で示している。
【００２１】
図３に示すように、二つ折りされた底面シート１１と一対の側面シート１２とは底縁接着部１５において熱溶着で接着されている。底縁接着部１５は、正面視すると円弧状に凹んだ曲線と本体部１０（側面シート１２）の側縁及び底縁によって囲まれた領域となるように形成されている。そして、底縁接着部１５の上端の円弧形状（曲率）や、底縁接着部１５の上下方向の幅は、自立状態において、底面シート１１が本体部１０の側面の下端と同じ高さ位置になる接地領域１１ａを有し、この接地領域１１ａが後述する当接体３５の下端面３６の面積よりも広くなるように設定されている。
【００２２】
図３に示すように、一対の側面シート１２は、その側縁同士が側縁接着部１６において熱溶着で接着されている。側縁接着部１６は、側面シート１２の側縁が直線状に形成されている部分では一定の幅（図３において左右方向の幅）を保つように形成されている。そして、側面シート１２の側縁のうち円弧状に形成されている部分では、側縁接着部１６は上方ほど徐々にその幅が大きくなるように形成されている。この部分では側縁接着部１６の内側は側面シート１２の円弧よりも曲率の大きい円弧状になっている。また、一対の側面シート１２はその上縁において、口具２０を挟み込みつつ上縁接着部１７において熱溶着で接着されている。上縁接着部１７は、その両端において側縁接着部１６と重複しており、この重複部分では一対の側面シート１２は二度接着されている。このようなシート構成及び接着部の構成により、本体部１０は、底面シート１１を底面とし、一対の側面シート１２を側面とする自立性を有する袋状に形成されている。したがって、本実施形態では、本体部１０の側面の下端は、側面シート１２の下端であり、底縁接着部１５の下端１５ａである。
【００２３】
図１〜図３に示すように、本体部１０の外面において両側縁には、その上下方向略全域に亘って、熱可塑性樹脂からなる補強材１９が取り付けられている。補強材１９は本体部１０の側縁形状に沿う柱形状に形成されている。補強材１９はその短手方向において断面視すると断面コ字状をなしており、その補強材１９によって側縁接着部１６の外側（本体部１０の側端）が覆われた状態となっている。また、補強材１９は、その短手方向の幅が側縁接着部１６の内端１６ａを覆うことなく表出させるように形成されている。すなわち、図３に示すように、本体部１０を正面視した際に、側縁接着部１６の内端１６ａが補強材１９よりも幅方向中央側に位置するように補強材１９が形成されている。
【００２４】
図１〜図３に示すように、本体部１０の上縁中央には口具２０が設けられている。口具２０は、前述した一対の側面シート１２に挟み込まれて本体部１０の上縁に固定される基部２１と所定の開口を有する筒部２２とからなる。筒部２２は、ディスペンサ３０が挿入できるように略円筒形状に形成されるとともに、その内径Ｒ１が所定の大きさに設定されている。また、筒部２２の外周には螺合部が設けられ、ディスペンサ３０が着脱可能になっている。なお、図１においては、本体部１０と口具２０との取り付け関係を図示するために、上縁接着部１７が接着されていない状態の本体部１０を図示している。
【００２５】
次に、ディスペンサ３０について説明する。
図１及び図４に図示するように、ディスペンサ３０には、内周面に螺合部が形成されて口具２０の筒部２２に着脱可能な蓋部３１が形成されている。そして、この蓋部３１には、該蓋部３１の上面を上下方向に貫通するようにポンプ部３２が形成されている。ポンプ部３２は、蓋部３１に対して上下方向に相対移動可能に形成されるとともに、図示しない付勢部材により上方に付勢されている。また、ポンプ部３２には、図示しない逆止弁が設けられ、内容物が本体部１０の内部に逆流しないようになっている。これらの構成によって、ポンプ部３２は、付勢手段の付勢力に伴って上方向に相対移動することで一定量の本体部１０の内容物を吸い上げるとともに、付勢手段の付勢力に抗して下方に押圧操作されることで吸い上げた一定量の内容物を吐出するようになっている。
【００２６】
ディスペンサ３０の蓋部３１には、下方側に向かって与えられる力を受け止めるための支持部材３３が設けられている。具体的には、支持部材３３は、支持部材３３の上部を構成する支持体３４と支持部材３３の下部を構成する当接体３５とで構成されており、本実施形態では、支持体３４と当接体３５とは一体的に形成されている。
【００２７】
図４に示すように、支持体３４は、蓋部３１から下方に向って延びる円管状に形成されるとともに、当接体３５は、略円筒状に形成されている。すなわち、本実施形態では、支持体３４及び当接体３５を含めた支持部材３３全体が管状に形成されており、支持部材３３の下端（当接体３５の下端）が開口している。また、支持部材３３（支持体３４及び当接体３５）は、上下方向においてその周壁の厚みが略一定に形成されている。
【００２８】
図１及び図４に図示するように、当接体３５は、その上端における外径が支持体３４の外径と略同じで、下方ほど拡径したテーパ状に形成されている。したがって、支持部材３３は、上下方向に直交する断面において、支持体３４の断面積よりも、当接体３５の断面積のほうが大きくなっており、とくに、当接体３５の下方ほど断面積が大きくなっている。そして、当接体３５の下端面３６は、上下方向に直交する同一平面上に存在するようになっている。また、支持部材３３の当接体３５の下端における外径Ｒ２は、前述した口具２０の筒部２２の内径Ｒ１よりも小さく形成されている。なお、ここでいう断面積とは、支持体３４及び当接体３５の内部空間の断面の面積を含むものである。
【００２９】
図１及び図４に図示するように、支持部材３３には、本体部１０の内容物が支持部材３３の内部に流入できるように、流入孔３７が形成されている。本実施形態では、流入孔３７は、上下方向に延びる長孔状に形成され、当接体３５の外周面に、周方向において等間隔（９０度）ごとに４つ設けられている。そして、上述したディスペンサ３０のポンプ部３２は、当接体３５の開口や流入孔３７から流入した内容物を、支持部材３３（当接体３５及び支持体３４）を介して吸い上げるようになっている。すなわち、本実施形態において支持部材３３は、内容物をポンプ部３２に吸い上げるための吸上管としても機能する。
【００３０】
次に、自立状態における本体部１０と支持部材３３との位置関係について説明する。
本体部１０は、内容物が充填されると、一対の側面シート１２が離間することで折り畳み状態の底面シート１１が広げられるとともに、内容物の重さによって底面シート１１が下方に押しやられる。この状態の本体部１０を水平な平面上に載置して自立させると、図４に図示するように、底面シート１１の略中央の接地領域１１ａが本体部１０の底縁接着部１５の下端１５ａと同じ高さ位置となり、底面シート１１の接地領域１１ａと本体部１０の底縁接着部１５の下端１５ａとが載置した平面に接触する。一方、口具２０は、本体部１０の上縁略中央に取付けられ、支持部材３３の支持体３４が下方に向って延びている。そのため、支持部材３３は、口具２０の筒部２２に挿入されて本体部１０の内部に配置されるとともに、本体部１０の自立状態においては、支持部材３３の当接体３５の下端面３６は、底面シート１１の略中央の接地領域１１ａにおいて底面シート１１と当接している。また、前述したように、底面シート１１の接地領域１１ａは、当接体３５の下端面３６の面積よりも大きく形成され、当接体３５の下端面３６は、同一平面状に存在している。したがって、底面シート１１の接地領域１１ａにしわやよれがない状態では、当接体３５の下端面３６の全面が底面シート１１の接地領域１１ａに面接触している。
【００３１】
上記実施形態の包装袋によれば、以下のような作用効果を得ることができる。
（１）本実施形態では、支持部材３３はディスペンサ３０に設けられており、ディスペンサ３０とともに口具２０に対して着脱可能である。そのため、この支持部材３３をディスペンサ３０と共に繰り返し使用することができ、包装袋の省資源化を妨げ難い。さらに、ディスペンサ３０と共に支持部材３３を口具２０から取り外してしまえば、支持部材３３が本体部１０の折り畳みの邪魔になることはなく、支持部材３３が本体部１０の減容化を妨げることはない。なお、本実施形態では、本体部１０の側縁に補強材１９が設けられているため、本体部１０を上下方向（折り目が本体部１０の幅方向）に折り畳むことは難しい。しかし、本体部１０を幅方向（折り目が本体部１０の上下方向）に折り畳むことは容易であり、補強材１９が設けられていない包装袋と同程度の減容化が可能である。
【００３２】
また、本体部１０の自立状態において、当接体３５の下端面３６が底面シート１１に当接していることから、ディスペンサ３０の重さやディスペンサ３０の操作に伴ってポンプ部３２に与えられる下方側への押圧力が支持部材３３によって受け止められる。そのため、これらの力によって本体部１０が折れ曲がったり、倒れたりし難く、自立性を確保することができる。
【００３３】
（２）たとえば、当接体３５の下端面３６と底面シート１１との接触面積が過度に小さい場合、ポンプ部３２の操作に伴う力が支持部材３３を介して、底面シート１１の限られた領域に繰り返し作用することになり、底面シート１１の破損の原因となる。本実施形態では、支持部材３３（支持体３４及び当接体３５）の周壁の厚みが一定で当接体３５がテーパ状に形成されている。そのため、当接体３５がテーパ状に形成されていない場合に比べて、当接体３５の下端面３６の面積を大きくすることができる。したがって、本実施形態においては、当接体３５の下端面３６と底面シート１１との接触面積をより大きく確保することができ、底面シート１１が破損することが抑制できる。
【００３４】
（３）ディスペンサ３０のポンプ部３２を下方側へと押圧操作するにあたっては、本体部１０の上下方向に対して傾いた方向（斜め下方向）に押圧操作することも考えられる。そして、支持部材３３が斜め下方向の押圧力を受け止めることができず、支持部材３３ごと本体部１０が倒れてしまうことが有り得る。本実施形態では、支持体３４の断面積よりも当接体３５の断面積の方が大きく形成され、当接体３５が比較的に広い領域で底面シート１１と面接触している。そのため、支持部材３３に及ぼされる押圧力が多少斜め下方向であったとしても、その斜め下方向の力を支持部材３３によって受け止めることができ、本体部１０の自立性を確保することができる。
【００３５】
（４）本体部１０の側縁には補強材１９が設けられているため、支持部材３３による自立性の向上に加えて、さらなる本体部１０の自立性向上が図れる。さらに、ディスペンサ３０（支持部材３３）を取り外した状態においても、補強材１９によって本体部１０が折れ曲がりにくく、支持部材３３の挿入が容易となる。
【００３６】
（５）上記実施形態において、支持部材３３は、本体部の内容物を吸い上げるための構成（流入管）としても機能するので、ディスペンサ３０に支持部材３３を設けたことによる、ディスペンサ３０の構成の複雑化、高コスト化を抑制することができる。
【００３７】
（６）本実施形態では、本体部１０の自立状態において、底面シート１１が本体部１０の側面の下端と同じ高さ位置になる接地領域１１ａを有し、当接体３５の下端面３６がこの接地領域１１ａにおいて当接している。仮に、本体部１０の自立状態において、底面シート１１の全領域が本体部１０の側面の下端よりも高い位置に存在する（底面シート１１が接地領域１１ａを有さない）場合、支持部材３３から与えられる力の大半は、底面シート１１から底縁接着部１５や側縁接着部１６へと作用することになる。そして、このような力が作用することになると、底縁接着部１５の下端や側縁接着部１６が歪むなどして本体部１０が変形し、自立性を損なうこともあり得る。本実施形態においては、支持部材３３から与えられる力の大半は、底面シート１１の接地領域１１ａを介して本体部１０が載置されている面に直接的に作用するため、底縁接着部１５や側縁接着部１６が歪んで本体部１０の自立性を損なうといった事態が抑制される。
【００３８】
（７）上記実施形態では、当接体３５の下端面３６と底面シート１１とが面接触しており、支持部材３３の下端（当接体３５の下端）における開口からは、内容物が支持部材３３の内部へと流入し難い。しかし、上記実施形態では、支持部材３３の当接体３５に流入孔３７が形成されていることから、この流入孔３７を介して速やかに内容物を支持部材３３の内部へと流入させることができる。
【００３９】
なお、上記実施形態は以下のように変更してもよく、また、以下の変更例を組み合わせて適用してもよい。
・  実施形態では、当接体３５を下方ほど拡径するテーパ状に形成したが、当接体３５の形状はこれに限らない。たとえば、当接体３５を上下方向において外径が変化しない筒形状に形成してもよい。この場合、当接体３５の外径を、支持体３４の外径よりも小さく形成してもよいし、大きく形成してもよい。また、当接体３５の外径を支持体３４の外径と等しく形成してもよい。この場合、見かけ上、支持体３４と当接体３５との境界が無くなることもあるが、支持部材３３が底面シート１１に当接する以上、その上部が支持体３４であり、下部が当接体３５であることには変わりない。
【００４０】
・  さらに、たとえば、図５（ａ）に示すように、支持部材３３の支持体３４の下端に設けられた板状体を当接体５１としてもよい。この場合においても、上下方向に直行する断面において、支持体３４の断面積よりも板状の当接体５１の断面積のほうが大きくなっている。なお、板状の当接体５１においては、この当接体５１に流入孔３７を形成するのは難しいので、図５（ａ）に示すように、支持体３４の下方に流入孔３７を形成することが好ましい。
【００４１】
・  実施形態では、支持部材３３の支持体３４及び当接体３５を一体的に形成したが、これらを別体で形成してもよい。たとえば、図５（ｂ）に示すように、支持部材３３を、支持体３４と該支持体３４の下端に取付けられる当接体５２とで構成されるようにしてもよい。さらに、このような構成において、たとえば、支持体３４を熱硬化性樹脂で形成し、当接体５２をゴム（弾性材料）で形成するなど、両者を異なる材料で形成してもよい。当接体５２をゴム（弾性材料）で形成した場合、支持部材３３に与えられる力に伴って当接体５２が弾性変形するので、過度に大きな力が底面シート１１に与えられることが抑制され、底面シート１１に穴が空いたり破れたりすることが抑制できる。
【００４２】
・  実施形態では、当接体３５の下端面３６が同一平面状に存在するように形成されていたが、下端面３６を曲面状に形成してもよい。たとえば、図５（ｃ）に示すように、当接体５３の下端面５３ａを、外方ほど上方に反り上がる曲面部として形成してもよい。また、このような構成において、下端面５３ａ全体を曲面部としてもよいし、下端面５３ａのうち外方の一部を曲面部としてもよい。これらのように当接体５３の下端面５３ａが曲面部を有するように形成した場合、支持部材３３が底面シート１１に対して斜めに当接したとしても、支持部材３３（当接体５３）の角が底面シート１１に当接することが抑制され、底面シート１１が破損することが抑制できる。
【００４３】
・  支持部材３３の当接体３５の下端における外径Ｒ２を口具２０の筒部２２の内径Ｒ１よりも小さく形成したが、当接体３５が変形可能であるならば、当接体３５の外径Ｒ２を筒部２２の内径Ｒ１よりも大きくすることが可能である。たとえば、上述したように、当接体３５をゴム（弾性部材）で形成し、支持部材３３を筒部２２に挿入するに伴って当接体３５が変形可能であるならば、当接体３５の外径Ｒ２を筒部２２の内径Ｒ１よりも大きく形成したとしても、当接体３５を筒部２２に挿入することができる。
【００４４】
・  支持部材３３の形状は、円管状に限らず、楕円管状でも多角管状でもよい。また、支持部材３３の内部に内容物を流入させる必要がないのであれば管状でなくてもよく、中空部分を有さない棒状に形成してもよい。さらに、支持部材３３の周壁に上下方向に延びる補強リブを設けて、支持部材３３の上下方向の強度の向上を図ってもよい。
【００４５】
・  上記実施形態では、上下方向において支持部材３３の周壁の厚みを略一定に形成したが、周壁の厚みに変化をつけるようにしてもよい。とくに、支持部材３３の下方ほど周壁の厚みを大きくすると、支持部材３３（当接体３５）の下端面３６と底面シート１１との接触面積をさらに大きくすることができる。
【００４６】
・  支持部材３３（当接体３５）の下端における開口を形成しなくともよい。具体的には、当接体３５を有底筒状に形成し、支持部材３３全体として有底の管状に形成してもよい。この場合も、支持部材３３（当接体３５）の下端面３６と底面シート１１との接触面積をさらに大きくすることができる。
【００４７】
・  上記実施形態では、本体部１０の自立状態において、当接体３５の下端面３６が底面シート１１に当接するようにしたが、当接体３５の下端面３６と底面シート１１との間に、隙間が生じるようにしてもよい。たとえば、ポンプ部３２を下方に押圧操作した場合、その押圧力に伴って本体部１０が変形する。すると、自立状態における本体部１０の高さ（本体部１０の上縁接着部１７のうち口具２０が設けられている部分から底縁接着部１５の下端１５ａまでの長さ）が小さくなり、結果として、当接体３５の下端面３６が底面シート１１に当接することになる。したがって、このような構成においても、ポンプ部３２を下方に押圧操作したことに伴って本体部１０が折れ曲がったり、倒れたりすることを抑制することができる。なお、当接体３５の下端面３６と底面シート１１との隙間の大きさについては、本体部１０の大きさ、シート構成、補強材１９の有無等を勘案して設定すればよく、たとえば、１〜１０ｍｍ程度である。
【００４８】
このように、支持部材３３（支持体３４及び当接体３５）の形状等の構成は、本体部１０に作用する下方側への力を受け止めることができるのであれば、本体部１０の大きさや、支持部材３３に作用する力の大きさ、ポンプ部３２との関係等を勘案して自由に変更することができる。
【００４９】
・  流入孔３７の形状、数及び形成位置は、実施形態のものに限らない。たとえば、流入孔３７を、円形状や多角形状に形成してもよく、その数も１〜３つでも、５つ以上でもよい。また、実施形態では、当接体３５に流入孔３７を形成したが支持体３４に流入孔３７を形成してもよい。
【００５０】
・  支持体３４の内部に内容物を流入させる構成は、流入孔３７に限らない。たとえば、図５（ｄ）に示すように、当接体３５の下端面３６から上方に向けて切欠部５４を形成し、この切欠部５４から内容物が当接体３５及び支持体３４の内部に流入するようにしてもよい。また、支持部材３３の下端の開口（当接体３５の下端の開口）から内容物が流入できるならば、必ずしも流入孔３７や切欠部５４を形成しなくともよい。
【００５１】
・  実施形態では、支持部材３３が吸上管としても機能するようにしたが、支持部材３３と吸上管とを別々に設けるようにしてもよい。たとえば、図６に示すように、円管状の支持部材３３の内部に、内容物を吸上げるための吸上管６１が配置されるようにしてもよい。この場合、従来一般的に使用されているディスペンサに対して、円管状の支持部材３３を取り付けるのみで支持部材３３付きのディスペンサを製造できるので、従来のディスペンサの製造方法からの大幅な変更は強いられない。
【００５２】
・  さらに、支持部材３３の内部に吸上管６１が配置される構成において、吸上管６１の下端が流入孔３７を貫通して、支持部材３３の外部へと導き出されるようにしてもよい。この構成においては、支持部材３３の内部に内容物が流入される必要はないため、吸上管６１が貫通される流入孔３７以外に、流入孔３７を設けなくともよいし、支持部材３３の下端に開口を形成する必要もない。
【００５３】
・  支持部材３３と吸上管とを別々に設ける構成において、吸上管６１が支持部材３３の内部に配置される構成に限らず、支持部材３３の外部に吸上管６１を設けてもよい。具体的には、蓋部３１の上面からそれぞれ支持部材３３と吸上管６１とが下方側に向けて平行に延びるようにしてもよい。なお、この構成においては、支持部材３３を必ずしも管状に形成しなくともよい。
【００５４】
・  上記実施形態では、本体部１０の両側縁の全体に亘って補強材１９を設けたが、補強材の形成位置はこれに限らない。たとえば、補強材１９を本体部１０の側縁において、下方側の一部分のみに設けてもよいし、上方側の一部分のみに設けてもよい。また、本体部１０の両側縁のうち、片側にのみ補強材１９を設けてもよい。さらに、補強材１９を上縁接着部１７に沿うように形成し、補強材１９を本体部１０の上縁に設けるようにしてもよい。ただし、補強材１９を本体部１０の上縁に設けるにあたっては、口具２０が取付けられるためのスペースを確保する必要がある。
【００５５】
・  上記実施形態では、補強材１９を断面コ字状に形成したが、補強材１９の形状はこれに限らず、本体部１０の外面において側縁接着部１６に、棒状の補強材１９を取り付けるようにしてもよい。また、棒状の補強材１９を取り付けるにあたっては、その取付位置は、側縁接着部１６に限らず、たとえば、側面シート１２の外面（本体部１０の外面）であってその幅方向中央に、上下方向に延びるように補強材１９を取り付けてもよい。
【００５６】
・  補強材１９を省略してもよい。なお、本実施形態においては、支持部材３３が設けられているため、仮に補強材１９を省略したとしても、十分な自立性を確保することができる。
【００５７】
・  本体部１０のシート構成は、上記実施形態のものに限らない。たとえば、一枚のシートを折り曲げつつ接着して、本体部１０の底面及び側面を構成するようにしてもよい。また、本体部１０の形状は、上記実施形態のものに限らず、たとえば、側面シート１２を長方形状に形成してもよいし、上方ほど幅が大きくなる逆台形状に形成してもよい。さらに、本体部１０を底面と四つの側面とからなる略立方体状（所謂、ガゼット形状）に形成してもよい。本体部１０をガゼット形状に形成した場合、底面の略全域が接地領域となる。なお、ガゼット形状の本体部１０については、特許文献１に開示がある。
【００５８】
・  前記実施形態では、底面シート１１及び側面シート１２について、片側の面が熱溶着性を有し、もう片側の面が非熱溶着性を有するようにしたが、これを変更してもよい。たとえば、底面シート１１の両面が熱溶着性を有するようにした場合、二つ折り状態の底面シート１１の間に断熱シートを介在させつつ熱溶着すれば、二つ折り状態の底面シート１１の谷側の面同士が熱溶着されることはない。また、底面シート１１及び側面シート１２が非熱溶着性を有するようにした場合、各シートを接着剤等で接着すればよい。
【００５９】
・  底面シート１１が接地領域１１ａを有さないようにしてもよい。すなわち、本体部１０の底縁接着部１５の上下方向の幅を実施形態のものより大きくして、本体部１０の自立状態において、底面シート１１の全領域が本体部１０の側縁の下端よりも上方に位置し、底面シート１１が本体部１０を載置した平面に当接しないようにしてもよい。
【００６０】
・  上記実施形態では、口具２０を本体部１０の上縁略中央に取り付けたが、本体部１０の上縁において、口具２０を幅方向どちらか（左右どちらか）側に偏在する位置に取り付けてもよい。
【００６１】
・  口具２０とディスペンサ３０との着脱関係は螺合によるものに限らない。たとえば、ディスペンサ３０の蓋部３１を口具２０の筒部２２に挿入されて筒部２２の開口を密閉する栓として構成してもよい。このように、筒部２２の開口を密閉でき、かつディスペンサ３０が口具２０に対して着脱可能であれば、その着脱構成は問わない。
【００６２】
・  ディスペンサ３０に下方に操作されることで内容物を吐出するポンプ部３２を設けたが、このポンプ部３２に代えて、レバー部を握りしめることで内容物を噴霧するスプレー部を設けてもよい。また、付勢手段や逆止弁等の構成によって一定量ずつ内容物を吐出（噴霧）する構成に限らず、これらの構成を省略して包装袋を傾けることによって内容物を吐出する流通口をディスペンサ３０に設けてもよい。
【００６３】
次に、上記実施形態及び変更例から把握できる技術的思想について、以下に追記する。
（イ）前記当接体は前記支持体の下端に取付けられた板状体である。
（ロ）前記支持部材の下端面には外方ほど上方に反り上がる曲面部が形成されている。
（ハ）前記支持部材は管状に形成され、前記ディスペンサは、前記本体部に収容された内容物を吸い上げるための吸上管を備え、前記吸上管は、前記支持部材の内部に配置されている。
【符号の説明】
【００６４】
１０…本体部、１１…底面シート、１１ａ…接地領域、１２…側面シート、１５…底縁接着部、１５ａ…底縁接着部（側面）の下端、１９…補強材、２０…口具、３０…ディスペンサ、３３…支持部材、３４…支持体、３５…当接体、３６…支持部材の下端面。
【図１】
0005551897.tif 000002
【図２】
0005551897.tif 000003
【図３】
0005551897.tif 000004
【図４】
0005551897.tif 000005
【図５】
0005551897.tif 000006
【図６】
0005551897.tif 000007
【図７】
0005551897.tif 000008